(57)【要約】【課題】  静電気などの障害により表示画面の表示内容に不具合が生じた場合に、プリンタシステムではこの不具合の発生を認識できない。【解決手段】  画像データを格納する記憶媒体を装着でき、記憶媒体から読み出した画像データを被記録媒体に対して記録ヘッドを用いて記録を行う記録装置。画像データを表示する表示手段と表示手段を制御する表示制御手段と画像表示に不具合が生じたことを検出し、不具合が検出した場合、表示手段に表示させる画像データを変更させる。【選択図】  図５
2005161549.tif 000002
【特許請求の範囲】
【請求項１】
画像データを格納する記憶媒体を装着する装着手段を備え、前記記憶媒体から読み出した前記画像データを被記録媒体に対して記録ヘッドを用いて記録を行う記録装置であって、
前記画像データを表示する表示手段と、
前記画像データから表示手段に表示させる表示データを生成する表示データ生成手段と、
前記表示手段を制御する表示制御手段と、
前記画像表示に不具合が生じたことを検出し、前記不具合を検出した場合、前記表示制御手段に表示手段が表示する画像データを変更させる表示管理手段とを備えることを特徴とする記録装置。
【請求項２】
前記表示管理手段は、前記表示制御手段のレジスタに設定されている少なくとも１つの設定値を周期的に読み出すことを特徴とする請求項１に記載の記録装置。
【請求項３】
前記表示管理手段は、周期的に読み出した値と設定した値とを比較する比較手段を備え、比較結果に基づき、前記表示手段を初期化し、前記表示制御手段は、前記記憶媒体に格納されている前記画像データに基づき、再度前記表示データ生成手段に表示データを生成させ、表示手段に表示させることを特徴とする請求項１に記載の記録装置。
【発明の詳細な説明】
【技術分野】
【０００１】
本発明は、記憶媒体を装着し、記憶媒体に格納されているデータの表示を行うことが可能で、この表示する画像の記録を行う記録装置に関するものである。
【背景技術】
【０００２】
プリンタ、複写機、ファクシミリ等の機能を有する記録装置、或いはコンピュータやワードプロセッサ等を含む複合機やワークステーションの出力機器として用いられる記録装置は、画像情報に基づいて用紙やプラスチック薄板（例えば、ＯＨＰ等に用いる）等の記録媒体に画像を記録していくように構成されている。前記記録装置は、使用する記録手段の記録方法により、インクジェット式、ワイヤドット式、感熱式、熱転写式、レーザービーム式等に分けられる。
【０００３】
そのうち、インクジェット式の記録装置（インクジェット記録装置）は、記録手段（記録ヘッド）から記録媒体にインクを吐出して記録を行うものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも多色のインクを使用してカラー画像を記録するのが容易である等の利点を有している。
【０００４】
近年、簡単な操作で画像を撮影してデジタル画像データに変換できるデジタルカメラ（撮像装置）、所謂、デジカメが広く使用されるようになってきている。このようなカメラで撮影した画像を印刷して写真として使用する場合には、通常、一旦、その撮影されたデジタル画像データを、デジタルカメラからＰＣ（コンピュータ）に取り込み、そのＰＣで画像処理を行った後、そのＰＣからカラープリンタに出力して印刷を行うのが一般的である。また、記憶媒体に画像データを記憶して記憶媒体から印刷を行うダイレクトプリンタも普及している。
【特許文献１】特開２００３−１２７４７２号公報。
【発明の開示】
【発明が解決しようとする課題】
【０００５】
このように、記憶媒体に記憶されている記録装置では、記憶媒体（コンパクトフラッシュ（登録商標）メモリ、スマートメディア、メモリスティック等）に格納されている画像データを認識し、ユーザが認識した画像から印刷したい画像を選択し、表示画面で選んだ画像データを確認して印刷を実行する。
【０００６】
しかし、静電気などの障害により表示しているデータが壊れ、表示画面に不具合が生じた場合に、外的要因によるためプリンタシステムでは表示画面に不具合が生じていることを認識できないという問題が存在する。
【課題を解決するための手段】
【０００７】
上述の課題を解決し、目的を達成するために、本発明の記録装置は、画像データを格納する記憶媒体を装着する装着手段を備え、前記記憶媒体から読み出した前記画像データを被記録媒体に対して記録ヘッドを用いて記録を行う記録装置であって、前記画像データを表示する表示手段と、前記画像データから表示手段に表示させる表示データを生成する表示データ生成手段と、前記表示手段を制御する表示制御手段と、前記画像表示に不具合が生じたことを検出し、前記不具合を検出した場合、前記表示制御手段に表示手段が表示する画像データを変更させる表示管理手段とを備える。
【発明の効果】
【０００８】
本発明により、静電気などの障害により表示しているデータが壊れ、表示画面に不具合が生じた場合に、自動的に表示画面を復元することが可能となる。
【発明を実施するための最良の形態】
【０００９】
図１は、本発明の実施の形態に係る記録装置（以下、ＰＤプリンタ装置）１０００の概観斜視図である。このＰＤプリンタ装置装置１０００は、ホストコンピュータ（ＰＣ）からデータを受信して印刷（記録）したり、メモリカードなどの記憶媒体に記憶されている画像データを直接読取って印刷（記録）したり、或いはデジタルカメラからの画像データを受信して印刷（記録）を行う。
【００１０】
図１において、本実施の形態に係るＰＤプリンタ装置１０００の外殻をなす本体は、下ケース１００１、上ケース１００２、アクセスカバー１００３及び排出トレイ１００４の外装部材を有している。また、下ケース１００１は、ＰＤプリンタ装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。
【００１１】
さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１２】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１３】
また、上ケース１００２の上面には、電源キー１００５が押下可能に設けられている。また、上ケース１００２の右側には、液晶表示部１００６や各種キースイッチ等を備える操作パネル１０１０が設けられている。この操作パネル１０１０の構造は、図２を参照して詳しく後述する。１００７は自動給送部で、記録シートを装置本体内へと自動的に給送する。１００８は紙間選択レバーで、プリントヘッドと記録シートとの間隔を調整するためのレバーである。
【００１４】
１００９はカードスロットで、ここにメモリカードを装着可能なアダプタが挿入され、このアダプタを介してメモリカードに記憶されている画像データを直接取り込んで印刷することができる。このメモリカード（ＰＣ）としては、例えばコンパクトフラッシュ（登録商標）メモリ、スマートメディア、メモリスティック等がある。１０１１はビューワ（液晶表示部）で、この記録装置（ＰＤプリンタ装置）１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するための端子、１０１３は、パーソナルコンピュータ（ＰＣ）を接続するためのＵＳＢバスコネクタを示す。
【００１５】
図２は、本実施の形態に係るＰＤプリンタ装置１０００の操作パネル１０１０の概観図である。
【００１６】
図において、液晶表示部１００６には、その左右に印刷項目（記録項目）に関するデータを各種設定するためのメニュー項目が表示される。
【００１７】
ここで表示される項目の例として、印刷したい範囲の先頭写真番号、指定コマ番号（開始／−指定）、印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。
【００１８】
これら各項目は、カーソルキー２００１を用いて選択、或いは指定される。２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。
【００１９】
２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００２０】
次に図３を参照して、本実施の形態に係るＰＤプリンタ装置１０００の制御に係る主要部の構成を説明する。尚、この図３において、前述の図面と共通する部分は同じ記号を付与して、それらの説明を省略する。
【００２１】
図３において、３０００は制御部（制御回路）を示している。３００１はＡＳＩＣ（専用カスタムＬＳＩ）を示し、その構成は図４のブロック図を参照して詳しく後述する。３００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。
【００２２】
３００３はメモリで、ＤＳＰ３００２のＣＰＵの制御プログラムを記憶するプログラムメモリ３００３ａ、及び実行時のプログラムを記憶するＲＡＭエリア、画像データなどを記憶するワークメモリとして機能するメモリエリアを有している。
【００２３】
３００４はプリンタエンジンで、ここでは、複数色のカラーインクを用いてカラー画像を印刷するインクジェットプリンタのプリンタエンジンが搭載されている。３００５はデジタルカメラ３０１２を接続するためのポートとしてのＵＳＢバスコネクタである。３００６はビューワ１０１１を接続するためのコネクタである。３００８はＵＳＢバスハブ（ＵＳＢ  ＨＵＢ）で、このＰＤプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。
【００２４】
これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３０１１により、商用ＡＣから変換された直流電圧を入力している。ＰＣ３０１０は一般的なパーソナルコンピュータ、３０１１は前述したメモリカード（ＰＣカード）、３０１２はデジタルカメラである。
【００２５】
尚、この制御部３０００とプリンタエンジン３００４との間の信号のやり取りは、前述したＵＳＢバス３０２１又はＩＥＥＥ１２８４バス３０２２を介して行われる。
【００２６】
図４は、ＡＳＩＣ３００１の構成を示すブロック図で、この図４においても、前述の図面と共通する部分は同じ記号を付与して、それらの説明を省略する。
【００２７】
４００１はＰＣカードインターフェース部で、装着されたＰＣカード３０１１に記憶されている画像データを読取ったり、或いはＰＣカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部４００２は、デジタルカメラ３０１２或いはＰＣカード３０１１に記憶されている画像データを印刷する場合に使用されるバスである。
【００２８】
４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示部１００６への表示データの出力などを行う。４００６はビューワ・インターフェース部で、ビューワ１０１１への画像データの表示を制御している。
【００２９】
４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００３０】
図５は、本実施の形態における動作の説明するフローチャートである。ユーザがプリンタ装置に電源を入力する（５００１）。ビューワ１０１１が画像データを表示するための初期化を行う（５００２）。操作パネル１０１０からユーザが選択した画像に対応した画像データをメモリカードから読み出し、ビューワ１０１１に表示するための表示データを作成し（５００４）、作成した表示データをビューワ１０１１に表示する（５００５）。
【００３１】
画像を表示後、あらかじめ設定された一定周期が経過したかを判別し（５００６）、一定周期経過していたならばビューワ１０１１のレジスタに設定されている値（少なくても１つのレジスタについて）をビューワ・インターフェース部４００６経由で取得する（５００７）。
【００３２】
取得した値が、所定の値（例えば、５００２の初期化で設定した値）と等しい場合はビューワ１０１１に外的要因による不具合が生じていないと判断する。一方、習得した値と設定した値が異なっていた場合はビューワ１０１１に外的要因がかかり、ビューワ１０１１内部のレジスタに設定した値が変わり、ビューワ１０１１に表示している表示画像に不具合が生じ、正しい画像の表示がなされていないと判断する。
【００３３】
この場合、ビューワ１０１１を初期化し（５００２）、ビューワ１０１１に外的要因による不具合が生じる以前に表示していた画像データについて、改めてＰＣカードから読みだしを行い、表示データを作成し、ビューワ１０１１に再び表示させる。
【００３４】
このような処理を行うことで、何らかの原因で、ビューワ１０１１に正しく画像を表示させることができる。
【００３５】
＜その他の実施形態＞
なお、ビューワ１０１１のレジスタに設定されている値を所定の周期で比較を行うが、この周期は、例えば記録装置の状態に応じて、変更しても構わない。具体的には、記録ヘッドを用いて記録動作、メモリカードへのアクセスなどの場合には、ＤＳＰの処理の負荷を軽減させるためである。
【００３６】
また、図５のステップ５００８において、表示画像に不具合が生じたと判断したとしても、記録動作中であれば、記録動作が完了してからビューワの初期化を行い、メモリカードからの読みだし、表示データの作成（生成）を行う。これは、記録装置が記録動作中の場合には、画像データの再表示の処理より、記録動作の完了を優先させる。
【００３７】
従って、この場合、図５のステップ５００８の次のステップで、記録装置の状態をチェックする状態を設け、記録動作が完了する場合まで、ウエイト処理を行うことになる。
【００３８】
同様に、表示画像に不具合が生じたと判断したとしても、メモリカードからデータを読みだしあるいは、書き込みを行う場合には、メモリカードのアクセスを優先させても構わない。このように、記録装置の状態から、画像データの表示の優先度を変えることで、ユーザーの操作（意図）に応じた処理を行う。
【図面の簡単な説明】
【００３９】
【図１】本発明の実施の形態に係る記録装置の概観斜視図である。
【図２】本実施の形態に係る記録装置の操作パネルの概観図である。
【図３】本実施の形態に係る記録装置の制御に係る主要部の構成を示すブロック図である。
【図４】本実施の形態に係る記録装置のＡＳＩＣの構成を示すブロック図である。
【図５】本発明の詳細説明に関するフローチャートである。
【符号の説明】
【００４０】
１０１０  操作パネル
１０１１  ビューワ
３０１１  ＰＣカード
３００１  ＡＳＩＣ
３００２  ＤＳＰ
【図１】
2005161549.tif 000003
【図２】
2005161549.tif 000004
【図３】
2005161549.tif 000005
【図４】
2005161549.tif 000006
【図５】
2005161549.tif 000007